(57)【要約】【課題】フィルタの選択肢が広げられて集塵装置の運用の幅を広げることができる、集塵装置のフィルタの交換方法を実現する。【解決手段】集塵装置のフィルタの交換方法は、集塵装置に取り付けられた第１フィルタに替えて第２フィルタ（１００）を取り付ける工程を備え、第１フィルタ及び第２フィルタが、筒状の濾過部（１５０）と、濾過部の上部に設けられた取付部（１６０）とを有しており、第１フィルタの濾過部及び第２フィルタの濾過部は、互いに剛性が異なる構成を備えている。【選択図】図１
2020124697.tif 000002
【特許請求の範囲】
【請求項１】
集塵装置の集塵室と清浄室とを区画する区画壁に取り付けられた第１フィルタを取り外す工程と、
前記第１フィルタに替えて第２フィルタを前記区画壁に取り付ける工程と、を備え、
前記第１フィルタ及び前記第２フィルタは、それぞれ、筒状の濾過部と、前記濾過部の上部に設けられた前記区画壁への固定のための取付部とを有しており、
前記第１フィルタの濾過部及び前記第２フィルタの濾過部は、互いに剛性が異なることを特徴とする、集塵装置のフィルタの交換方法。
【請求項２】
前記第１フィルタの濾過部は、セラミック成形体から構成されていることを特徴とする、請求項１に記載の集塵装置のフィルタの交換方法。
【請求項３】
前記第２フィルタの濾過部は、ガラス、ポリパラフェニレン・ベンゾビス・オキサゾール、ポリベンゾイミダゾール、シリカ、アルミナ、チタン、ステンレスの少なくともいずれか一つの繊維からなる濾布から構成されていることを特徴とする、請求項１または２に記載の集塵装置のフィルタの交換方法。
【請求項４】
前記第１フィルタの濾過部の直径よりも、前記第２フィルタの濾過部の直径が小さいことを特徴とする、請求項１から３のいずれか１項に記載の集塵装置のフィルタの交換方法。
【請求項５】
集塵室及び清浄室と、前記集塵室と清浄室とを区画する区画壁とを備え、
前記区画壁に固定するための取付部が上部に設けられた筒状の濾過部を有したフィルタが、前記区画壁に固定されて取り付けられる排ガスの集塵装置であって、
第１フィルタと、前記第１フィルタの濾過部とは剛性が異なる濾過部を有する第２フィルタとが、前記フィルタとして取り付け可能に構成されていることを特徴とする集塵装置。
【請求項６】
前記第１フィルタの濾過部は、セラミック成形体から構成されていることを特徴とする、請求項５に記載の集塵装置。
【請求項７】
前記第２フィルタの濾過部は、ガラス、ポリパラフェニレン・ベンゾビス・オキサゾール、ポリベンゾイミダゾール、シリカ、アルミナ、チタン、ステンレスの少なくともいずれか一つの繊維からなる濾布から構成されていることを特徴とする、請求項５または６に記載の集塵装置。
【請求項８】
前記第１フィルタの濾過部の直径よりも、前記第２フィルタの濾過部の直径が小さいことを特徴とする、請求項５から７のいずれか１項に記載の集塵装置。
【請求項９】
集塵装置の集塵室と清浄室とを区画する区画壁に取り付けるフィルタであって、
濾布から構成される筒状の濾過部と、
前記濾過部の上部に設けられた前記区画壁への固定のための取付部とを備え、
前記取付部は、前記濾布が固定されたフランジと、前記フランジを押さえて前記区画壁に固定するための、開口部が設けられた押さえ板と、を有することを特徴とするフィルタ。
【請求項１０】
集塵装置の集塵室と清浄室とを区画する区画壁に取り付けるフィルタであって、
濾布から構成される筒状の濾過部と、
前記濾過部の上部に設けられた前記区画壁への固定のための取付部とを備え、
前記取付部は、前記濾布が固定されたリング状のクリップと、前記クリップが嵌め込まれる開口部を有した板状のアタッチメントと、前記アタッチメントを押さえて前記区画壁に固定するための、開口部が設けられた押さえ板と、を有することを特徴とするフィルタ。
【発明の詳細な説明】
【技術分野】
【０００１】
本発明は、排ガスから塵埃や有毒ガス等を集塵して分離するための集塵装置のフィルタの交換方法、集塵装置、及びフィルタに関する。
【背景技術】
【０００２】
下水汚泥や、廃棄物の焼却炉、金属製錬設備等から排出される排ガス中の塵埃、有毒ガス等を除去するために、隔壁型式の集塵装置を備えた排ガス処理設備が用いられている。隔壁型式の集塵装置では、筐体の内部が集塵室と清浄室とに区画される。更に、区画壁に筐体内を集塵室側から清浄室側へ流動する濾過対象気体中に含まれる塵埃を捕集するフィルタが設置される。フィルタとしては長い繊維素材を濾布状にしたものの他、近年では、低温から高温の排ガスに対応できるように濾材としてセラミックを用いて成形した、セラミックフィルタが用いられてきている。
【先行技術文献】
【特許文献】
【０００３】
【特許文献１】特開２０１８−１５６８２号公報
【発明の概要】
【発明が解決しようとする課題】
【０００４】
しかしながら、セラミックフィルタと繊維素材から構成された濾布を用いたフィルタとは剛性や耐久性等が異なることから集塵装置の区画壁への取り付け方が異なる。よって、集塵装置では、フィルタの選択肢が限定される問題があった。
【０００５】
本発明の一態様は、フィルタの選択肢が広げられて集塵装置の運用の幅を広げることができる、集塵装置のフィルタの交換方法を実現することを目的とする。
【課題を解決するための手段】
【０００６】
上記の課題を解決するために、本発明の一態様に係る集塵装置のフィルタの交換方法は、集塵装置の集塵室と清浄室とを区画する区画壁に取り付けられた第１フィルタを取り外す工程と、前記第１フィルタに替えて第２フィルタを前記区画壁に取り付ける工程と、を備え、前記第１フィルタ及び前記第２フィルタは、それぞれ、筒状の濾過部と、前記濾過部の上部に設けられた前記区画壁への固定のための取付部とを有しており、前記第１フィルタの濾過部及び前記第２フィルタの濾過部は、互いに剛性が異なる構成を備えている。
【０００７】
上記の課題を解決するために、本発明の一態様に係る集塵装置は、集塵室及び清浄室と、前記集塵室と清浄室とを区画する区画壁とを備え、前記区画壁に固定するための取付部が上部に設けられた筒状の濾過部を有したフィルタが、前記区画壁に固定されて取り付けられる排ガスの集塵装置であって、第１フィルタと、前記第１フィルタの濾過部とは剛性が異なる濾過部を有する第２フィルタとが、前記フィルタとして取り付け可能に構成されている。
【０００８】
上記の課題を解決するために、本発明の一態様に係るフィルタは、集塵装置の集塵室と清浄室とを区画する区画壁に取り付けるフィルタであって、濾布から構成される筒状の濾過部と、前記濾過部の上部に設けられた前記区画壁への固定のための取付部とを備え、前記取付部は、前記濾布が固定されたフランジと、前記フランジを押さえて前記区画壁に固定するための、開口部が設けられた押さえ板と、を有する構成を備えている。
【０００９】
上記の課題を解決するために、本発明の一態様に係るフィルタは、集塵装置の集塵室と清浄室とを区画する区画壁に取り付けるフィルタであって、濾布から構成される筒状の濾過部と、前記濾過部の上部に設けられた前記区画壁への固定のための取付部とを備え、前記取付部は、前記濾布が固定されたリング状のクリップと、前記クリップが嵌め込まれる開口部を有した板状のアタッチメントと、前記アタッチメントを押さえて前記区画壁に固定するための、開口部が設けられた押さえ板と、を有する構成を備えている。
【発明の効果】
【００１０】
本発明の一態様に係る集塵装置のフィルタの交換方法によれば、フィルタの選択肢が広げられて集塵装置の運用の幅を広げることができる。
【００１１】
本発明の一態様に係る集塵装置によれば、フィルタの選択肢が広げられて集塵装置の運用の幅を広げることができる。
【００１２】
本発明の一態様に係るフィルタによれば、濾布から構成されたフィルタでありながら、セラミックフィルタを用いる集塵装置に取り付けて稼働させることができる。
【００１３】
また別の本発明の一態様に係るフィルタによっても、濾布から構成されたフィルタでありながら、セラミックフィルタを用いる集塵装置に取り付けて稼働させることができる。
【図面の簡単な説明】
【００１４】
【図１】本発明の実施形態１に係るフィルタを示す概略図である。
【図２】集塵装置を示す概略図である。
【図３】本発明の実施形態１に係るフィルタを示す部分拡大図である。
【図４】本発明の実施形態２に係るフィルタを示す部分拡大図である。
【図５】本発明の実施形態３に係るフィルタを示す部分拡大図である。
【図６】従来技術のセラミックフィルタを示す部分拡大図である。
【発明を実施するための形態】
【００１５】
〔実施形態１〕
以下、本発明の一実施形態について、詳細に説明する。
【００１６】
（フィルタの全体構成）
図１は、実施形態１に係るフィルタ１００を示す概略図である。フィルタ１００は、その全体が縦長の形状を有している。フィルタ１００の大部分は円筒形状の濾過部１５０を構成する。濾過部１５０の全長は、１〜１０ｍ程度である。濾過部１５０の直径は１０〜１７ｃｍ程度である。
【００１７】
フィルタ１００は、濾過部１５０の最上部に取付部１６０を備える。濾過部１５０は、円筒状に形成された濾布１０１からなる。濾布１０１の底は閉じられており、濾布１０１は上部が開口した縦長の袋状である。また、濾過部１５０には、濾布１０１の形状を保つための骨組みであるリテーナ１２０が設けられている。
【００１８】
濾布１０１は、耐熱性を有する素材で構成される。ここで、耐熱性を有するとは、温度３００℃以上での使用が可能なことをいう。濾布１０１は、繊維状の素材が網状、織物状、不織布状、または紙状に成形されて構成される。濾布１０１を構成する繊維は、ガラス、ポリパラフェニレン・ベンゾビス・オキサゾール、ポリベンゾイミダゾール、シリカ、アルミナ、チタン、ステンレスの少なくともいずれか一つの繊維であり得る。
【００１９】
取付部１６０は、円筒状の濾過部１５０の径方向に濾過部１５０よりも突き出た鍔状の部分を有する。取付部１６０については詳細に後述される。
【００２０】
（集塵装置の構成）
図２は、実施形態１に係るフィルタ１００が装着され得る集塵装置１を示す図である。集塵装置１は、フィルタの濾過部を用いて、塵埃や有毒ガス等を除去（集塵）するための装置である。集塵装置１では、筐体２の内部がシンプルプレート３によって集塵室４（ダーティ側）と清浄室５（クリーン側）とに区画されている。すなわち、シンプルプレート３は、集塵装置１の集塵室４と清浄室５とを区画する区画壁である。
【００２１】
集塵室４は、下部にテーパ状の落下塵埃受け部４ｂを備える。落下塵埃受け部４ｂの底部に落下塵埃排出口４ｃが設けられている。集塵室４の側部には、含塵空気Ａ（排ガス）を集塵室４に導入する含塵空気導入口４ａが設けられている。含塵空気Ａは、他の装置から排出された塵埃を含む空気である。ここで塵埃とは、排ガス中の粉体状、粒状、微粒子状等の固形物であり、排出することが望まれない廃棄物であり得る。しかし、廃棄物に限らず、含塵空気Ａから回収すべき工業生成物等の有用物でもあり得る。また、ここでは例示として集塵室４に導入される排ガスがゴミ焼却炉の排ガスであるが、必ずしもゴミ焼却炉の排ガスに限られない。更に、ここでは例示として集塵室４に導入される排ガス中の塵埃を分離する場合を説明するが、塵埃に限らず、排ガス中の有毒ガス等を分離するものであってもよい。すなわち、本願における排ガスから集塵されるものは、塵埃、ガス（有毒ガス、生成ガス等）であり得る。
【００２２】
清浄室５には吸引装置７を備えた浄化空気吸引管６が接続される。
【００２３】
シンプルプレート３は、フィルタを装着するための開口部３ａを有した板状の部材である。図２に位置Ｆで示されるように、フィルタが複数台、集塵装置１に装着される。
【００２４】
集塵装置１の運転時には、含塵空気Ａが、集塵室４に導入される。そうして、含塵空気Ａが、位置Ｆに装着されたフィルタの濾過部を通過することで清浄化され、浄化空気吸引管６を通じて排出される。
【００２５】
また、清浄室５の側壁を貫通する状態で、一端側を閉塞し他端側に高圧空気供給手段Ｂとしての圧縮空気タンクが接続された高圧空気導入管８が備えられている。高圧空気導入管８の高圧空気供給手段Ｂ側には、バルブ１１が備えられている。また、高圧空気導入管８は、シンプルプレート３の開口部３ａの各々の上部に対応する位置に、高圧空気噴出ノズル９を備えている。
【００２６】
位置Ｆに装着されたフィルタの再生動作時には、バルブ１１の操作により高圧空気噴出ノズル９から、高圧空気が各々のフィルタに向かって、例えばパルス状に噴出する。これにより位置Ｆに装着された各々のフィルタに付着した塵埃は払い落とされ、落下塵埃排出口４ｃから集められる。こうして集塵装置１において、位置Ｆに装着されるフィルタの再生が行われ得る。
【００２７】
（フィルタの取付け部の詳細）
実施形態１に係るフィルタ１００は、上記集塵装置１に取り付けて、使用が可能なものである。以下に、フィルタ１００の取付部１６０について、図３を用いて詳細に説明する。図３には、フィルタ１００の取付部１６０付近の構成に加えて、シンプルプレート３が示されている。
【００２８】
円筒状に形成された濾布１０１の最上部には、フランジ１０２が接続されている。ここで、フランジ１０２は、円筒部分の最上部に接続された、外径方向に延長する鍔状の部分である。フランジ１０２は、濾布１０１がそのまま延長されて構成されていてもよいが、別の布素材が接続されていてもよい。フランジ１０２及び円筒部分の最上部には、断面Ｌ字型のリング状の金属板１０３が固定されている。金属板１０３はフランジ１０２自体の形状を一定に保つ。更には、フィルタ１００の筒状部分の形状を保つリテーナ１２０に対してもフランジ１０２が一定の形状を保つように作用する。
【００２９】
フィルタ１００は、取付部１６０に、押さえ板１１０を備える。押さえ板１１０は、フランジ１０２をシンプルプレート３に押し付けて、固定するための板材である。押さえ板１１０にはフランジ１０２をシンプルプレート３に押し付け固定するための、ねじ、ボルト等を通すための孔部１１２も設けられている。孔部１１２は、集塵装置１のシンプルプレート３の孔部３１に対応するように配置される。また、押さえ板１１０の中央部には、濾布１０１を通過して清浄化された気体が、清浄室５側に移動するための、開口部１１１が設けられている。
【００３０】
フィルタ１００が集塵装置１に取り付けられたとき、フランジ１０２は、濾布１０１を通過しない含塵空気Ａのリークを防止するためのパッキングの役割を同時に果たす。そのため、フランジ１０２の部分は、濾布１０１の延長部分が厚く形成される、若しくは、濾布１０１に接続された別の布素材が厚く形成されていることが望ましい。更には、フランジ１０２の部分には、パッキングの役割を高めるような別の素材が、積層されて固定されていてもよい。
【００３１】
（利点）
フィルタ１００は、濾布から構成されたフィルタであるにもかかわらず、集塵装置１への取付けのためのフランジ１０２を備えている。またフィルタ１００は、フランジ１０２を押さえ板１１０でシンプルプレート３に押さえつけて、フィルタ１００を集塵装置１に対して固定するように構成されている。そのため後述するようにフィルタ１００は、セラミックフィルタ５００を使用していた集塵装置１への取付けが可能となっている。
【００３２】
さらにフィルタ１００には、上記金属板１０３が設けられているため、フィルタ１００がシンプルプレート３に取り付けられた際に、フィルタ１００全体が位置、形状を保ち確実に固定される。
【００３３】
また、フィルタ１００は、濾布１０１が特定の耐熱性の素材で構成されているため、低温から高温の排ガスに対応できるセラミックフィルタとの置き換えが可能である。
【００３４】
ここで、集塵装置１へのセラミックフィルタ５００の取付けについて説明する。
【００３５】
セラミックフィルタ５００は、図１のフィルタ１００と同様に、円筒状の濾過部を有している。また、セラミックフィルタ５００は、濾過部の最上部に取付部を有している。フィルタ１００と同様に、図２に位置Ｆで示されるように、セラミックフィルタ５００が複数台、集塵装置１に装着される。
【００３６】
図６は、セラミックフィルタ５００の取付部近傍の拡大図である。図６には、シンプルプレート３も示されている。セラミック成形体からなり濾過部を構成する円筒形の濾過体５０１の外径は、シンプルプレート３の開口部３ａの径よりもわずかに小さい。濾過部の上部には、取付部を構成するフランジ５０５が設けられている。フランジ５０５の部分はセラミック成形体からなり、セラミックフィルタ５００の主要部である円筒形の濾過体５０１と、一体として形成される。フランジ５０５は、シンプルプレート３の開口部３ａの径よりも大きい外径を有する。よって、フランジ５０５によってシンプルプレート３にぶら下がるように、セラミックフィルタ５００が集塵装置１に装着される。
【００３７】
なお、フランジ５０５とシンプルプレート３との間には、パッキング５３１が挿入される。これにより、濾過体５０１を通過しない含塵空気Ａのリークが防止される。フランジ５０５はさらに、押さえ板５１０により、シンプルプレート３に押し付けられ固定される。そのため、押さえ板５１０には、ねじ、ボルト等を通すための孔部５１２が設けられている。シンプルプレート３にも、孔部５１２に対応する位置に孔部３１が設けられる。
【００３８】
セラミックフィルタ５００は、剛性が高く変形しにくく、また、高温のガスにさらされても劣化しにくい。よってセラミックフィルタ５００は、長寿命である。一方、セラミックフィルタ５００は、成形や焼成にて所定形状に作成する必要があり、非常に高価である。そのため、集塵装置１を運用するに当たり、スペアのセラミックフィルタ５００を多数保有することは不経済である。また、セラミックフィルタ５００は、衝撃や荷重に対しては脆弱であり、地震が発生した場合などに、集塵装置１内部で一度に多数が損傷することがある。すると、集塵装置１の運転が不可能となる。また、セラミックフィルタ５００の製造には時間が掛り、納期が長いため、長期に亘り集塵装置１の運転が不可能となる怖れがある。
【００３９】
一方、実施形態１に係るフィルタ１００は、集塵装置１の集塵室４と清浄室５とを区画する区画壁（シンプルプレート３）に取り付けるフィルタであって、濾布１０１から構成される筒状の濾過部１５０と、濾過部１５０の上部に設けられた前記区画壁への固定のための取付部１６０とを備え、取付部１６０は、濾布１０１が固定されたフランジ１０２と、フランジ１０２を押さえて前記区画壁に固定するための、開口部１１１が設けられた押さえ板１１０と、を有する構成を備えている。よって集塵装置１において、セラミックフィルタ５００（第１フィルタ）を取り外し、セラミックフィルタ５００（第１フィルタ）に替えて、フィルタ１００（第２フィルタ）を取り付けることが可能である。
【００４０】
しかしながら、集塵性能が同等のフィルタ１００を用いれば、損傷したセラミックフィルタ５００に替えて集塵装置１を運転することができ、長期に亘る集塵装置１の運転停止の問題が緩和される。濾布から構成されたフィルタ１００は、セラミックフィルタ５００と比較すると、剛性が低いものである。また、濾布から構成されたフィルタ１００は、セラミックフィルタ５００と比較すると、寿命は短いものの、低コストであり、また短納期である。そのため、セラミックフィルタ用の集塵装置１を運用するに当たり、フィルタ１００が互換利用できることのメリットは多大である。
【００４１】
セラミックフィルタ５００（第１フィルタ）の濾過部を構成する円筒形の濾過体５０１の直径よりも、フィルタ１００（第２フィルタ）の円筒形の濾過部１５０の直径が小さくともよい。なぜなら、フィルタ１００は、セラミックフィルタ５００と同様に、フランジと１０２と押さえ板１１０とにより、シンプルプレート３に固定されるため、フィルタ１００の円筒形の濾過部１５０が、シンプルプレートの孔部３１に挿入可能であれば、取り付け可能になるからである。
【００４２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４３】
実施形態２に係るフィルタ２００は、その全体の構成は実施形態１に係るフィルタ１００と同様であるが、取付部の構成が異なる。以下に、フィルタ２００の取付部について、図４を用いて詳細に説明する。図４には、フィルタ２００の取付部付近の構成に加えて、シンプルプレート３が示されている。
【００４４】
円筒状に形成された濾布２０１の最上部には、帯部２０２が接続される、ここで、帯部２０２は、円筒部分の最上部に形成された帯状の部分である。帯部２０２は、濾布２０１がそのまま延長されて構成されていてもよいが、別の布素材が接続されていてもよい。帯部２０２には、金属からなるクリップ２０３が固定されている。クリップ２０３は、アタッチメント２３０の円形の開口部に嵌め込めるリング状の部材である。アタッチメント２３０は、円筒状に形成された濾布２０１の直径と略等しい直径の円形の開口を有した板状の部材である。クリップ２０３は、ばね性を有しており、アタッチメント２３０に嵌め込めば、濾布２０１がアタッチメントに固定されるとともに、着脱も可能である。クリップ２０３は、同時に、帯部２０２自体の形状を一定に保つ役割も果たす。
【００４５】
フィルタ２００は、取付部に、押さえ板２１０を備える。押さえ板２１０は、アタッチメント２３０をシンプルプレート３に押し付けて、固定するための板材である。押さえ板２３０にはアタッチメント２３０をシンプルプレート３に押し付け固定するための、ねじ、ボルト等を通すための孔部２１２も設けられている。孔部２１２は、集塵装置１のシンプルプレート３の孔部３１に対応するように配置される。また、押さえ板２１０の中央部には、濾布２０１を通過して清浄化された気体が、清浄室５側に移動するための、開口部２１１が設けられている。アタッチメント２３０の開口の直径は、シンプルプレート３の開口部３ａの直径よりも小さい。すなわち、フィルタ２００の円筒形の濾過部の直径は、シンプルプレート３の開口部３ａの直径よりも、ひとまわり小さい。実施形態２においては、このように、フィルタ２００の円筒形の濾過部の直径が小さく、セラミックフィルタ５００用の集塵装置１のシンプルプレート３に取りつかない場合において、アタッチメント２３０を設けることで、取り付け可能にしている。集塵装置１に適合するセラミックフィルタ５００（第１フィルタ）の濾過部を構成する円筒形の濾過体５０１の直径よりも、フィルタ２００（第２フィルタ）の円筒形の濾過部１５０の直径が小さくなっている。
【００４６】
よって、アタッチメント２３０は、押さえ板２１０と同様の形状の板材であるが、その開口部の直径が、円筒状に形成された濾布２０１の直径に見合うように形成されている。
【００４７】
図４に示されるように、アタッチメント２３０と、シンプルプレート３との間に、パッキング２３１を配置することが好ましい。また、帯部２０２は、濾布２０１の延長部分が厚く形成される、若しくは、濾布２０１に接続された別の布素材が厚く形成されていることが望ましい。更には、帯部２０２には、パッキングの役割を高めるような別の素材が、積層されて固定されていてもよい。濾布２０１を通過しない含塵空気Ａのリークを防止するためである。
【００４８】
実施形態２においても、実施形態１と同様の利点、効果が得られた。
【００４９】
〔実施形態３〕
実施形態３に係るフィルタ３００は、その全体の構成は実施形態２に係るフィルタ２００と同様であるが、取付部の構成が異なる。以下に、フィルタ３００の取付部について、図５を用いて詳細に説明する。図５には、フィルタ３００の取付部付近の構成に加えて、シンプルプレート３が示されている。
【００５０】
円筒状に形成された濾布３０１の最上部には、帯部３０２が接続される、ここで、帯部３０２は、円筒部分の最上部に形成された帯状の部分である。帯部３０２は、濾布３０１がそのまま延長されて構成されていてもよいが、別の布素材が接続されていてもよい。帯部３０２には、金属からなるクリップ３０３が固定されている。クリップ３０３は、シンプルプレート３の円形の開口部３ａに嵌め込めるリング状の部材である。クリップ３０３は、ばね性を有しており、開口部３ａに嵌め込めば、濾布３０１がシンプルプレート３に固定されるとともに、着脱も可能である。クリップ２０３は、同時に、帯部３０２自体の形状を一定に保つ役割も果たす。
【００５１】
実施形態３においては、集塵装置１に適合するセラミックフィルタ５００（第１フィルタ）の濾過部を構成する円筒形の濾過体５０１の直径と、フィルタ３００（第２フィルタ）の円筒形の濾過部の直径が同程度である必要がある。よって、フィルタ３００（第２フィルタ）の円筒形の濾過部の直径は、集塵装置１に適合するセラミックフィルタ５００（第１フィルタ）の濾過部を構成する円筒形の濾過体５０１の直径に合わせて、大きく作成する必要がある。
【００５２】
また、帯部３０２は、濾布２０１の延長部分が厚く形成される、若しくは、濾布３０１に接続された別の布素材が厚く形成されていることが望ましい。更には、帯部３０２には、パッキングの役割を高めるような別の素材が、積層されて固定されていてもよい。濾布３０１を通過しない含塵空気Ａのリークを防止するためである。
【００５３】
実施形態３においても、実施形態１と同様の利点、効果が得られた。
【００５４】
〔まとめ〕
本発明の態様１に係る集塵装置のフィルタの交換方法は、集塵装置の集塵室と清浄室とを区画する区画壁に取り付けられた第１フィルタを取り外す工程と、前記第１フィルタに替えて第２フィルタを前記区画壁に取り付ける工程と、を備え、前記第１フィルタ及び前記第２フィルタは、それぞれ、筒状の濾過部と、前記濾過部の上部に設けられた前記区画壁への固定のための取付部とを有しており、前記第１フィルタの濾過部及び前記第２フィルタの濾過部は、互いに剛性が異なる構成を備えている。
【００５５】
上記の構成によれば、フィルタの選択肢が広げられて集塵装置の運用の幅を広げることができる。
【００５６】
本発明の態様２に係る集塵装置のフィルタの交換方法は、上記態様１において、前記第１フィルタの濾過部が、セラミック成形体から構成されていてもよい。
【００５７】
上記の構成によれば、低温から高温の気体に対応でき、寿命に優れたフィルタを用いて集塵装置が運用できる。
【００５８】
本発明の態様３に係る集塵装置のフィルタの交換方法は、上記態様１または２において、前記第２フィルタの濾過部が、ガラス、ポリパラフェニレン・ベンゾビス・オキサゾール、ポリベンゾイミダゾール、シリカ、アルミナ、チタン、ステンレスの少なくともいずれか一つの繊維からなる濾布から構成されていてもよい。
【００５９】
上記の構成によれば、耐熱性を有しながら低コストのフィルタを用いて集塵装置が運用できる。
【００６０】
本発明の態様４に係る集塵装置のフィルタの交換方法は、上記態様１から３のいずれかにおいて、前記第１フィルタの濾過部の直径よりも、前記第２フィルタの濾過部の直径が小さい構成を有していてもよい。
【００６１】
上記の構成によれば、フィルタの選択肢が更に広げられて集塵装置の運用の幅を広げることができる。
【００６２】
本発明の態様５に係る集塵装置は、集塵室及び清浄室と、前記集塵室と清浄室とを区画する区画壁とを備え、前記区画壁に固定するための取付部が上部に設けられた筒状の濾過部を有したフィルタが、前記区画壁に固定されて取り付けられる排ガスの集塵装置であって、第１フィルタと、前記第１フィルタの濾過部とは剛性が異なる濾過部を有する第２フィルタとが、前記フィルタとして取り付け可能に構成されている。
【００６３】
上記の構成によれば、フィルタの選択肢が広げられて集塵装置の運用の幅を広げることができる。
【００６４】
本発明の態様６に係る集塵装置は、上記態様５において、前記第１フィルタの濾過部が、セラミック成形体から構成されていてもよい。
【００６５】
上記の構成によれば、低温から高温の気体に対応でき、寿命に優れたフィルタを用いて集塵装置が運用できる。
【００６６】
本発明の態様７に係る集塵装置は、上記態様５または６において、前記第２フィルタの濾過部が、ガラス、ポリパラフェニレン・ベンゾビス・オキサゾール、ポリベンゾイミダゾール、シリカ、アルミナ、チタン、ステンレスの少なくともいずれか一つの繊維からなる濾布から構成されていてもよい。
【００６７】
上記の構成によれば、耐熱性を有しながら低コストのフィルタを用いて集塵装置が運用できる。
【００６８】
本発明の態様８に係る集塵装置は、上記態様５から７のいずれかにおいて、前記第１フィルタの濾過部の直径よりも、前記第２フィルタの濾過部の直径が小さい構成を備えていてもよい。
【００６９】
上記の構成によれば、フィルタの選択肢が更に広げられて集塵装置の運用の幅を広げることができる。
【００７０】
本発明の態様９に係るフィルタは、集塵装置の集塵室と清浄室とを区画する区画壁に取り付けるフィルタであって、濾布から構成される筒状の濾過部と、前記濾過部の上部に設けられた前記区画壁への固定のための取付部とを備え、前記取付部は、前記濾布が固定されたフランジと、前記フランジを押さえて前記区画壁に固定するための、開口部が設けられた押さえ板と、を有する構成を備えている。
【００７１】
上記の構成によれば、濾布から構成されたフィルタでありながら、セラミックフィルタを用いる集塵装置に取り付けて稼働させることができる。
【００７２】
本発明の態様１０に係るフィルタは、集塵装置の集塵室と清浄室とを区画する区画壁に取り付けるフィルタであって、濾布から構成される筒状の濾過部と、前記濾過部の上部に設けられた前記区画壁への固定のための取付部とを備え、前記取付部は、前記濾布が固定されたリング状のクリップと、前記クリップが嵌め込まれる開口部を有した板状のアタッチメントと、前記アタッチメントを押さえて前記区画壁に固定するための、開口部が設けられた押さえ板と、を有する構成を備えている。
【００７３】
上記の構成によれば、濾布から構成されたフィルタでありながら、セラミックフィルタを用いる集塵装置に取り付けて稼働させることができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７５】
１  集塵装置
２  筐体
３  シンプルプレート（区画壁）
３ａ  シンプルプレートの開口部
３１  シンプルプレートの孔部
４  集塵室
４ａ  含塵空気導入口
４ｂ  落下塵埃受け部
４ｃ  落下塵埃排出口
５  清浄室
６  浄化空気吸引管
７  吸引装置
８  高圧空気導入管
９  高圧空気噴出ノズル
１１  バルブ
１００、２００、３００  フィルタ（第２フィルタ）
１０１、２０１、３０１  濾布
１０２  フランジ
１０３  金属板
２０２、３０２  帯部
２０３、３０３  クリップ
１１０、２１０  押さえ板
１１１、２１１  押さえ板の開口部
１１２、２１２  押さえ板の孔部
１２０、２２０、３２０  リテーナ
２３０  アタッチメント
２３１  パッキング
１５０  濾過部
１６０  取付部
５００  セラミックフィルタ（第１フィルタ）
５０１  濾過体
５０５  フランジ
５１０  押さえ板
５１１  押さえ板の開口部
５１２  押さえ板の孔部
５３１  パッキング
【図１】
2020124697.tif 000003
【図２】
2020124697.tif 000004
【図３】
2020124697.tif 000005
【図４】
2020124697.tif 000006
【図５】
2020124697.tif 000007
【図６】
2020124697.tif 000008